(57)【要約】【課題】種々の作業環境下での色合わせを容易に行うことができる画像処理装置等を提供する。【解決手段】参照光領域６２は、指定された色温度の参照光を発光する領域である。参照光色温度指定領域６３は、参照光領域６２から発光させる参照光の色温度の指定に用いられる領域である。色選択領域６４は、補正の対象とする色がカラーパッチに印刷されたどの色であるかの選択に用いられる領域である。色選択領域６４には、カラーパッチと同等の画像が、各色が選択可能に表示される。色指定領域６５は、補正対象となっている色の補正後の色を指定する領域である。ポインタ６６は、参照光色温度指定領域６３上での色温度の指定、色選択領域６４上での色の選択、色指定領域６５上での色の指定に際して指定又は選択の対象を示す。「ＯＫ」ボタン６７は、補正内容の確定の際に操作されるボタンである。【選択図】図７
2009100129.tif 000002
【特許請求の範囲】
【請求項１】
表示装置及び印刷装置に接続した画像処理装置であって、
複数の色を含むカラーチャートを前記印刷装置に印刷させる印刷制御手段と、
所定の色温度の参照光を前記表示装置に表示させる参照光表示指示手段と、
前記カラーチャートに含まれる複数の色のうちからの１つの色の選択を受け付ける色選択受付手段と、
前記カラーチャートに含まれる複数の色のうちからの１つの色と類似する複数の色を含む色指定チャートを前記表示装置に表示させる色指定チャート表示指示手段と、
前記色指定チャートに含まれる複数の色のうちから１つの色の指定を受け付ける色指定受付手段と、
前記色選択受付手段により受け付けられた色からの、前記色指定受付手段により受け付けられた色への変化量を取得する変化量取得手段と、
前記変化量取得手段により取得された変化量を前記色選択受付手段により受け付けられた色に対して適用する際の色補正係数を演算する演算手段と、
前記演算手段により演算された色補正係数を用いて前記印刷装置において出力される印刷物の色の補正を行う色補正手段と、
を有することを特徴とする画像処理装置。
【請求項２】
前記色選択受付手段により受け付けられた色と類似する複数の色は、当該受け付けられた色と彩度及び色相が類似していることを特徴とする請求項１に記載の画像処理装置。
【請求項３】
前記画像処理装置は更に、色温度の指定を受け付ける色温度指定受付手段を備え、
前記参照光表示指示手段は、前記色温度指定受付手段によって受け付けられた色温度の参照光を前記表示装置に表示させることを特徴とする請求項１に記載の画像処理装置。
【請求項４】
前記色指定チャート表示手段は、前記色選択受付手段により受け付けられた色と類似する複数の色を含む色指定チャートを前記表示装置に表示させることを特徴とする請求項１に記載の画像処理装置。
【請求項５】
前記変化量取得手段は、前記色選択受付手段により受け付けられた色の彩度及び色相からの、前記色指定受付手段により受け付けられた色の彩度及び色相への変化量を取得することを特徴とする請求項４に記載の画像処理装置。
【請求項６】
表示装置及び印刷装置に接続した画像処理装置を制御する制御方法であって、
複数の色を含むカラーチャートを前記印刷装置に印刷させる印刷制御工程と、
所定の色温度の参照光を前記表示装置に表示させる参照光表示指示工程と、
前記カラーチャートに含まれる複数の色のうちからの１つの色の選択を受け付ける色選択受付工程と、
前記カラーチャートに含まれる複数の色のうちからの１つの色と類似する複数の色を含む色指定チャートを前記表示装置に表示させる色指定チャート表示指示工程と、
前記色指定チャートに含まれる複数の色のうちから１つの色の指定を受け付ける色指定受付工程と、
前記色選択受付工程において受け付けた色からの、前記色指定受付工程において受け付けた色への変化量を取得する変化量取得工程と、
前記変化量取得工程において取得した変化量を前記色選択受付工程において受け付けた色に対して適用する際の色補正係数を演算する演算工程と、
前記演算工程において演算した色補正係数を用いて前記印刷装置において出力される印刷物の色の補正を行う色補正工程と、
を有することを特徴とする画像処理装置の制御方法。
【請求項７】
表示装置及び印刷装置に接続した画像処理装置の制御をコンピュータに行わせるプログラムであって、
複数の色を含むカラーチャートを前記印刷装置に印刷させる印刷制御工程と、
所定の色温度の参照光を前記表示装置に表示させる参照光表示指示工程と、
前記カラーチャートに含まれる複数の色のうちからの１つの色の選択を受け付ける色選択受付工程と、
前記カラーチャートに含まれる複数の色のうちからの１つの色と類似する複数の色を含む色指定チャートを前記表示装置に表示させる色指定チャート表示指示工程と、
前記色指定チャートに含まれる複数の色のうちから１つの色の指定を受け付ける色指定受付工程と、
前記色選択受付工程において受け付けた色からの、前記色指定受付工程において受け付けた色への変化量を取得する変化量取得工程と、
前記変化量取得工程において取得した変化量を前記色選択受付工程において受け付けた色に対して適用する際の色補正係数を演算する演算工程と、
前記演算工程において演算した色補正係数を用いて前記印刷装置において出力される印刷物の色の補正を行う色補正工程と、
を実行することを特徴とするプログラム。
【請求項８】
表示手段と、
印刷手段と、
複数の色を含むカラーチャートを前記印刷手段に印刷させる印刷制御手段と、
色温度の指定を受け付ける色温度指定受付手段と、
前記色温度指定受付手段により受け付けられた色温度の参照光を前記表示手段に表示させる参照光表示手段と、
前記カラーチャートに含まれる複数の色のうちからの１つの色の選択を受け付ける色選択受付手段と、
前記色選択受付手段により受け付けられた色と類似する複数の色を含む色指定チャートを前記表示手段に表示させる色指定チャート表示手段と、
前記色指定チャートに含まれる複数の色のうちから１つの色の指定を受け付ける色指定受付手段と、
前記色選択受付手段により受け付けられた色からの、前記色指定受付手段により受け付けられた色への変化量を取得する変化量取得手段と、
前記変化量取得手段により取得された変化量を前記色選択受付手段により受け付けられた色に対して適用する際の色補正係数を演算する演算手段と、
前記演算手段により演算された色補正係数を用いて前記印刷手段において出力される印刷物の色の補正を行う色補正手段と、
を有することを特徴とする印刷システム。
【発明の詳細な説明】
【技術分野】
【０００１】
本発明は、色合わせの多様性の向上を図った画像処理装置等に関する。
【背景技術】
【０００２】
従来、ＤＴＰ（デスクトップパブリッシング）等の分野では、カラーモニタとカラープリンタのプリント出力とで、色が異なることがないように、両者の色合わせ（カラーマッチング）を行っている。この結果、カラーモニタ上で好みの色に調整した写真が、その見た目のままプリンタから印刷される。
【０００３】
しかし、このようなシステムでは、カラーモニタ及びプリンタが置かれた照明下では色が合っていても、印刷された写真を他の照明下で見ると、所望の色となっていないことがある。つまり、実際の印刷物が鑑賞されると考えられる場所の照明条件によっては、意図していた色と異なった色で鑑賞されることがあり得る。例えば、体育館等の水銀ランプ照明下に張られるポスター、及び飲食店等の白熱電球下で見られるメニュー等が、標準的な照明環境下で調整された調整値では、思った色と同一には見えないことがあり得る。
【０００４】
一般的に、カラーモニタとプリント物との色の違いは、参照する環境での照明条件によるところが多い。印刷物の多くは、Ｙ（イエロー）、Ｍ（マゼンタ）、Ｃ（シアン）及びＫ（黒）を基本のインクとして印刷されており、照明の特性によって見え方が決まってくる。一方、カラーモニタの多くは、自発光タイプ又は特定のバックライトの発光を利用している。そして、ＲＧＢの３刺激値を発光するか、又はフィルタリングして、カラー表示を行っており、それぞれのディスプレイの方式や設定によって、色が決まっている。更に、人間の視覚特性が関係して、色順応のため照明の色によって、感じられる色が変わってくるため、照明の色温度も関係してくる。
【０００５】
そこで、これらのカラーモニタ、カラープリンタ、照明条件を調整する方法について種々の検討がなされている。
【０００６】
例えば、特許文献１には、いくつかの基準色を印刷し、その基準色の見えを作業環境の照明条件の下で合わせることで、それぞれのカラーマッチングを得る方法が記載されている。
【０００７】
また、特許文献２には、カラーモニタが設置されている環境の照明の色温度と印刷物が観察される照明の条件とで補正値を得る方法が記載されている。
【０００８】
【特許文献１】特開平９−３２６９４０号公報
【特許文献２】特開平１０−６５９３０号公報
【発明の開示】
【発明が解決しようとする課題】
【０００９】
しかしながら、特許文献１に記載された方法では、観察される環境光に合わせるためには、観察される環境光と同等の照明条件を予め用意しておく必要がある。
【００１０】
また、特許文献２に記載された方法は、種々の照明条件下での発色が既知であり、更に、既にカラーマッチングが構築されているディスプレイとプリンタとの組み合わせにしか適応できない。
【００１１】
近年のデジタルカメラ及びカラープリンタの普及により、一般家庭、個人商店、学校及び印刷を業としていない職場等においても、写真の印刷が行われ、ポスター及びちらし等が印刷される機会が増えてきている。但し、これらの一般的なユーザにおいても、プリンタとディスプレイとのカラーマッチングをとり、更には、印刷物の観察環境下での色を調整するためには、作業環境の照明を対象に合わせて、逐次変更する必要がある。しかしながら、上述のような一般的なユーザにおいては、印刷物を観察するであろう環境の光に合うように、作業環境の照明を逐次、変更するというのは極めて困難である。
【００１２】
本発明は、種々の作業環境下での色合わせを容易に行うことができる画像処理装置等を提供することを目的とする。
【課題を解決するための手段】
【００１３】
本願発明者は、前記課題を解決すべく鋭意検討を重ねた結果、以下に示す発明の諸態様に想到した。
【００１４】
本発明に係る画像処理装置は、表示装置及び印刷装置に接続した画像処理装置であって、複数の色を含むカラーチャートを前記印刷装置に印刷させる印刷制御手段と、所定の色温度の参照光を前記表示装置に表示させる参照光表示指示手段と、前記カラーチャートに含まれる複数の色のうちからの１つの色の選択を受け付ける色選択受付手段と、前記カラーチャートに含まれる複数の色のうちからの１つの色と類似する複数の色を含む色指定チャートを前記表示装置に表示させる色指定チャート表示指示手段と、前記色指定チャートに含まれる複数の色のうちから１つの色の指定を受け付ける色指定受付手段と、前記色選択受付手段により受け付けられた色からの、前記色指定受付手段により受け付けられた色への変化量を取得する変化量取得手段と、前記変化量取得手段により取得された変化量を前記色選択受付手段により受け付けられた色に対して適用する際の色補正係数を演算する演算手段と、前記演算手段により演算された色補正係数を用いて前記印刷装置において出力される印刷物の色の補正を行う色補正手段と、を有することを特徴とする。
【００１５】
本発明に係る画像処理装置の制御方法は、表示装置及び印刷装置に接続した画像処理装置を制御する制御方法であって、複数の色を含むカラーチャートを前記印刷装置に印刷させる印刷制御工程と、所定の色温度の参照光を前記表示装置に表示させる参照光表示指示工程と、前記カラーチャートに含まれる複数の色のうちからの１つの色の選択を受け付ける色選択受付工程と、前記カラーチャートに含まれる複数の色のうちからの１つの色と類似する複数の色を含む色指定チャートを前記表示装置に表示させる色指定チャート表示指示工程と、前記色指定チャートに含まれる複数の色のうちから１つの色の指定を受け付ける色指定受付工程と、前記色選択受付工程において受け付けた色からの、前記色指定受付工程において受け付けた色への変化量を取得する変化量取得工程と、前記変化量取得工程において取得した変化量を前記色選択受付工程において受け付けた色に対して適用する際の色補正係数を演算する演算工程と、前記演算工程において演算した色補正係数を用いて前記印刷装置において出力される印刷物の色の補正を行う色補正工程と、を有することを特徴とする。
【００１６】
本発明に係るプログラムは、表示装置及び印刷装置に接続した画像処理装置の制御をコンピュータに行わせるプログラムであって、複数の色を含むカラーチャートを前記印刷装置に印刷させる印刷制御工程と、所定の色温度の参照光を前記表示装置に表示させる参照光表示指示工程と、前記カラーチャートに含まれる複数の色のうちからの１つの色の選択を受け付ける色選択受付工程と、前記カラーチャートに含まれる複数の色のうちからの１つの色と類似する複数の色を含む色指定チャートを前記表示装置に表示させる色指定チャート表示指示工程と、前記色指定チャートに含まれる複数の色のうちから１つの色の指定を受け付ける色指定受付工程と、前記色選択受付工程において受け付けた色からの、前記色指定受付工程において受け付けた色への変化量を取得する変化量取得工程と、前記変化量取得工程において取得した変化量を前記色選択受付工程において受け付けた色に対して適用する際の色補正係数を演算する演算工程と、前記演算工程において演算した色補正係数を用いて前記印刷装置において出力される印刷物の色の補正を行う色補正工程と、を実行することを特徴とする。
【００１７】
本発明に係る印刷システムは、表示手段と、印刷手段と、複数の色を含むカラーチャートを前記印刷手段に印刷させる印刷制御手段と、色温度の指定を受け付ける色温度指定受付手段と、前記色温度指定受付手段により受け付けられた色温度の参照光を前記表示手段に表示させる参照光表示手段と、前記カラーチャートに含まれる複数の色のうちからの１つの色の選択を受け付ける色選択受付手段と、前記色選択受付手段により受け付けられた色と類似する複数の色を含む色指定チャートを前記表示手段に表示させる色指定チャート表示手段と、前記色指定チャートに含まれる複数の色のうちから１つの色の指定を受け付ける色指定受付手段と、前記色選択受付手段により受け付けられた色からの、前記色指定受付手段により受け付けられた色への変化量を取得する変化量取得手段と、前記変化量取得手段により取得された変化量を前記色選択受付手段により受け付けられた色に対して適用する際の色補正係数を演算する演算手段と、前記演算手段により演算された色補正係数を用いて前記印刷手段において出力される印刷物の色の補正を行う色補正手段と、を有することを特徴とする。
【発明の効果】
【００１８】
本発明によれば、表示手段によって、印刷手段により印刷される印刷物の観察される照明条件を簡便に再現することができるため、特別な照明等を用いずとも、所望の光源環境下での印刷物の見え方を容易に再現することができる。このため、容易に印刷物の色合わせを行うことができる。
【発明を実施するための最良の形態】
【００１９】
以下、本発明の実施形態について添付の図面を参照して具体的に説明する。
【００２０】
（基本的原理）
先ず、本発明の基本的原理について説明する。印刷物の見え方を左右する要因として、照明光の特性及び人間の視覚特性が挙げられる。そして、照明光の特性の一種として、色温度が挙げられる。また、人間の目は、黒体輻射線上又はその近傍の色を「白」として認識する。
【００２１】
図１は、ある２つの色温度のランプの波長特性を示す図である。図１（ａ）は、２４００Ｋの色温度を持つランプの波長特性を示し、図１（ｂ）は、４５００Ｋの色温度を持つランプの波長特性を示している。これらを比較すると、ＲＧＢ夫々の比率が異なっており、２４００Ｋ（図１（ａ））の方が、Ｒの比率が高いことが分かる。このように、一般的に、色温度の数値が低いランプほど、赤味がかった白を発光する。
【００２２】
一方、人間の視覚の機能の一種として、色順応という機能がある。この機能は、ｖｏｎ  Ｋｒｉｅｓの提唱によれば、環境光に含まれる色等の一定の色刺激に対して、対応する色の、目の受容器官（錯体）の感度が低下するというものである。この機能があるために、人間は多少色のついた照明下でも、例えばりんごの赤は赤と認識することができる。そして、このような機能に基づく視覚特性は、色恒常性とよばれている。
【００２３】
仮に、色順応が完全であれば、照明光の色温度の影響はなくなるはずである。しかし、実際には、色順応が完全であることはなく、完全に照明光の色を排除することはできず、色温度の異なる照明光下では、同じ色の印刷物が同じようには見えないことがある。このような現象は、不完全色順応とよばれている。例えば、図２（ａ）に示すように、参照光の下で印刷物を観察すると、本来の色と異なって見える場合でも、次第に目が順応して、図２（ｃ）に示す基準光Ｄ６５（昼間の太陽の色温度Ｄ６５（６５０４Ｋ））下での色に近づいていくように感じられる。しかしながら、不完全色順応のために、この順応度はあるところで飽和して、図２（ｂ）に示すように、最終的には、基準光Ｄ６５とは異なった色で観察される。
【００２４】
このような現象に対し、最終的に観察された色を数値化したものを色毎に特定し、基準光Ｄ６５下での当該色を数値化したものとの相違を算出すれば、ディスプレイにカラーパッチと同じ色を表示したときに、図２（ｂ）と同じ状態で観察することが可能になる。色を数値化したものの相違としては、例えばＬａｂ色度図上での距離を用いることができる。このように補正されたディスプレイを用いて、印刷物の色調整をコンピュータ等を用いて行えば、特定の照明光下での所望の色の印刷が可能になる。
【００２５】
但し、参照光が、常に同一であれば大きな問題は生じないが、夫々の印刷物を見る環境が複数の場所になっている場合には、夫々に応じた照明を準備しておかなければならない。そして、種々の照明を準備しておくことは、印刷を業務として行っているようなユーザにとっては大きな負担となりにくいが、一般家庭、個人商店、学校及び印刷を業としていない職場等にとっては大きな負担となる。
【００２６】
そこで、本発明では、ディスプレイの表示領域に、特定の照明光と略同等の色温度の参照光領域を表示し、その表示された領域の光で、印刷されたパッチをユーザに観察させ、色合わせを行わせることとする。
【００２７】
（第１の実施形態）
次に、本発明の第１の実施形態について説明する。図３は、本発明の第１の実施形態に係る印刷システムの構成を示す模式図である。第１の実施形態に係る印刷システムには、図３に示すように、画像信号を生成するコンピュータ７０、及び、コンピュータ７０（画像処理装置）により生成された画像信号を画像化して表示するディスプレイ６０（表示装置）が含まれている。更に、ディスプレイ６０から出力された画像信号及びコンピュータ７０により生成された画像信号を印刷するプリンタ８０（印刷装置）も含まれている。ディスプレイ６０には、表示画面６１が含まれている。ディスプレイ６０、コンピュータ７０及びプリンタ８０は、互いに接続されている。
【００２８】
図４は、ディスプレイ６０の内部構成を示すブロック図である。ディスプレイ６０には、入力信号処理部１０、画像処理部２０、表示制御部３０、制御部４０及び記憶部５０が設けられている。
【００２９】
入力信号処理部１０は、コンピュータ７０から入力された画像信号に対してチャンネル選択を行い、シリアル−パラレル変換等の種々の処理を行う。そして、入力信号処理部１０は、処理後の信号を画像処理部２０及び制御部４０に受け渡す。
【００３０】
制御部４０は、色合わせの際に、外部インタフェースを介して入力された信号を参照し、記憶部５０に記憶されたプログラム及びデータ等に基づいて、画像処理に用いられる補正係数等の演算を行い、この演算結果を画像処理部２０に受け渡す。この演算の詳細については後述する。また、通常の表示の際には、入力信号処理部１０から受け取った信号に基づいて種々の制御信号を画像処理部２０及び表示制御部３０に受け渡す。
【００３１】
画像処理部２０は、入力信号処理部１０から受け取った信号に対し、制御部４０から受け取った補正係数等の制御信号に基づいて画像処理を行う。画像処理部２０は、例えば、補正係数を色変換マトリクス演算又はルックアップテーブル（ＬＵＴ）等に適用して、色の補正を行う。
【００３２】
表示制御部３０は、画像処理部２０から受け取った画像信号に対して種々の処理を行うことにより、画像信号を画像化し、画像を表示画面６１に表示する。
【００３３】
ここで、色合わせ時の動作について説明する。図５Ａ乃至図５Ｂは、色合わせ時の動作を示すフローチャートである。
【００３４】
先ず、印刷システムに色合わせの指示が入力されると、図５Ａに示すように、制御部４０は補正モードでの処理を開始し、外部ＩＦを介してプリンタ８０に図６に示すような所定のカラーパッチ６８を印刷させる（ステップＳ１０１）。つまり、制御部４０が印刷制御手段として、カラーパッチ６８をカラーチャートして印刷させる。なお、プリンタ８０へのカラーパッチ６８の印刷の命令をコンピュータ７０から行ってもよい。
【００３５】
次いで、制御部４０は、図７に示す所定の画像を表示画面６１に表示させる（ステップＳ１０２）。この所定画面には、参照光領域６２、参照光色温度指定領域６３、色選択領域６４、色指定領域６５、ポインタ６６及び「ＯＫ」ボタン６７が含まれる。参照光領域６２は、指定された色温度の参照光を発光する領域である。参照光色温度指定領域６３は、参照光領域６２から発光させる参照光の色温度の指定に用いられる領域である。色選択領域６４は、補正の対象とする色がカラーパッチに印刷されたどの色であるかの選択に用いられる領域である。色選択領域６４には、カラーパッチと同等の画像が、各色が選択可能に表示される。色指定領域６５は、補正対象となっている色の補正後の色を指定する領域である。ポインタ６６は、参照光色温度指定領域６３上での色温度の指定、色選択領域６４上での色の選択、色指定領域６５上での色の指定に際して指定又は選択の対象を示す。「ＯＫ」ボタン６７は、補正内容の確定の際に操作されるボタンである。
【００３６】
次いで、制御部４０は、色温度の設定を促すメッセージ等を表示させ、色温度指定受付手段として、ユーザに色温度を指定させ、この指定を受け付ける。ユーザは、印刷物が主に観察される環境光を鑑みて色温度を指定すればよい。例えば、電球の下で印刷物を観察することを想定しているのであれば、参照光色温度指定領域６３から３５００Ｋ付近の色温度を指定すればよい。そして、ポインタ６６が参照光色温度指定領域６３上に移動され、ある色温度を示す位置上で決定の意思を示す信号が入力されると、制御部４０は、色温度が指定されたと判断する（ステップＳ１０３）。
【００３７】
次いで、制御部４０は、指定された色温度の参照光を参照光領域６２から発光させる（ステップＳ１０４）。つまり、制御部４０が参照光表示指示手段として、ディスプレイ６０に参照光を表示させる。
【００３８】
次いで、制御部４０は、カラーパッチ６８に印刷された色のうちでユーザが補正を希望する色の選択を促すメッセージ等を表示させ、色選択受付手段として、ユーザに色を選択させ、この選択を受け付ける。ユーザは、例えば、カラーパッチ６８の左下の色の補正を希望する場合には、色選択領域６４内の左下の色を選択すればよい。そして、ポインタ６６が色選択領域６４上に移動され、ある色を示す位置上で決定の意思を示す信号が入力されると、制御部４０は、補正対象の色が選択されたと判断する（ステップＳ１０５）。
【００３９】
次いで、制御部４０は、色指定チャート表示指示手段として、色指定領域６５に、ステップＳ１０５において選択された色から変更することが可能な色を含む色指定チャートを表示させる（ステップＳ１０６）。この色としては、例えば、選択された色と彩度及び色相が類似する複数の色が含まれる。
【００４０】
次いで、制御部４０は、色指定領域６５に表示された色のうちでユーザが変更後の色として希望する色の指定を促すメッセージ等を表示させ、色指定受付手段として、ユーザに色を指定させ、この指定を受け付ける。この色の指定に際し、図８に示すように、ユーザは、ステップＳ１０１において印刷されたカラーパッチ６８を参照光領域６２の近傍に位置させ、参照光領域６２が発光する参照光を照射させれば、印刷物が主に観察される環境下での見え方を判断することができる。そして、ポインタ６６が色指定領域６５上に移動され、ある色を示す位置上で決定の意思を示す信号が入力されると、制御部４０は、変更後の色が選択されたと判断する（ステップＳ１０７）。
【００４１】
次いで、図５Ｂに示すように、制御部４０は、ステップＳ１０５において選択された色とステップＳ１０７において指定された色とを組み合わせて記憶部５０に記憶させる（ステップＳ１０８）。なお、色の記憶に際しては、例えば色座標を用いることができる。色座標としては、ｕｖ座標又はｘｙ座標等を用いることができる。
【００４２】
次いで、制御部４０は、ユーザの希望する色の補正のための入力が終了したか判断する（ステップＳ１０９）。具体的には、制御部４０は、ポインタ６６が「ＯＫ」ボタン６７上に移動され、その上で決定の意思を示す信号が入力されると、制御部４０は、色の補正のための入力が終了したと判断する。一方、前記のような操作がなく、新たにステップＳ１０５の色の選択が行われた場合には、色の補正のための入力は終了していないと判断する。
【００４３】
制御部４０は、色の補正のための入力が終了したと判断した場合には、記憶部５０に記憶されている１組又は２組以上の色の組み合わせに基づいて、その変更を画像処理部２０によって反映させるための補正係数等を演算する（ステップＳ１１０）。つまり、制御部４０は、変化量取得手段として、変更の前後間での色の変化量、例えば色の彩度及び色相の変化量を取得し、更に、演算手段として色補正係数を演算する。そして、制御部４０は、この結果を制御信号として画像処理部２０に受け渡す。
【００４４】
次いで、画像処理部２０は、補正係数を受け取り、これを色変換マトリクス演算又はルックアップテーブル（ＬＵＴ）等に適用する（ステップＳ１１１）。
【００４５】
次いで、制御部４０は、図７に示す所定の画像から、入力信号処理部１０に入力される信号が示す通常の画像に切り替え（ステップＳ１１２）、色合わせの動作を終了する。
【００４６】
このような色合わせが行われた後に、写真等の印刷物の印刷が行われる際には、入力画像に対する色合わせを含む画像処理が画像処理部２０によって行われる。つまり、画像処理部２０が色補正手段として機能する。この時には、既に表示上は所望の色温度下での色で表示されているので、コンピュータ７０上のレタッチソフト等を用いて、色の調整を行い、その画像をプリンタ８０からプリントアウトすればよい。このようにして、観察される色温度の照明条件下に対して補正された印刷物を得ることができる。
【００４７】
このような第１の実施形態によれば、ディスプレイ６０の参照光領域６２から、ユーザが選択した色温度の参照光が発光されるので、複数種の色温度のランプを用意しておかずとも、所望の環境下での印刷物の見え方を容易に再現することができる。従って、適切な色合わせを容易に行うことができ、所望の色の印刷物を取得することができる。
【００４８】
（第２の実施形態）
次に、本発明の第２の実施形態について説明する。第１の実施形態では、参照光をディスプレイ６０から発光させているが、ディスプレイ６０が置かれている作業環境の照明によって印刷物の見え方が変動することもあり得る。例えば、目はディスプレイ６０が置かれている環境の照明光に対する色順応反応を引き起こすので、単純に所望の色温度の参照光を発光させただけでは十分な再現性を得られないことがある。また、多くのディスプレイでは、ＲＧＢの３刺激値のみが用いられている。そして、色順応に対してだけであれば、人間の色覚であるＲＧＢを刺激するだけで対応可能であるが、実際の印刷物に関しては、反射光がないと正確な色が見えない。
【００４９】
そこで、本実施形態では、ディスプレイ６０に照明光を検出するセンサを設け、作業環境の照明光の演色性を利用し、センサによる検出の結果を参照光に反映させる。即ち、本実施形態では、作業環境の照明を用いて発色を得、その一方で、色順応反応に対してはＲＧＢの光の割合で対応する。具体的には、センサにより照明光を検出し、そのＲＧＢの割合を制御部４０が算出する。次いで、制御部４０は、照明光と参照光領域６２から発光する参照光とを足し合わせた光のＲＧＢが、ステップＳ１０３において指定された色温度におけるＲＧＢの割合に一致するような参照光のＲＧＢの割合を算出する。そして、制御部４０は、この算出結果を反映させた参照光をステップＳ１０４において発光させる。
【００５０】
例えば、図９（ａ）に示すように、波長特性９１を示す照明光下で作業が行われているとする。また、ステップＳ１０３において４５００Ｋが色温度として指定されたとする。４５００Ｋの色温度は図９（ｂ）の波長特性９２を示す。この場合、制御部４０は、波長特性９１及び９２を分析し、参照光と照明光とを足し合わせた光のＲＧＢの割合が、４５００Ｋの色温度のＲＧＢの割合と一致するように参照光のＲＧＢの３刺激値を決定する。この結果、参照光領域６２から波長特性９３を示す参照光が発光される。
【００５１】
他の構成及び動作は第１の実施形態と同様である。
【００５２】
このような第２の実施形態によれば、照明光と参照光とを足し合わせた光がカラーパッチ６８に照射される。このため、ＲＧＢについては、色順応反応により、指定された色温度に適合させることができる。また、ＹＭＣ等のＲＧＢ以外の色については、照明光により発色を得ることができる。
【００５３】
なお、照明光等の環境光の影響を排除するために、作業時に照明を消して作業することも可能である。また、照明光としてＤ５０又はＤ６５等の基準光を使用し、順応分を補正した色温度で参照光領域を表示してもよい。
【００５４】
また、印刷物は、ＹＭＣＫのインクで印刷されている場合が多い。特定の照明条件下での印刷物の発色は、照明に含まれる波長特性に依存しており、その照明の特性の目安として平均演色評価数というものが定められている。平均演色評価数Ｒａが８０以上で演色性がよい照明といわれており、一般家庭等でも用いられている。更に、一部のディスプレイ、例えばＤＬＰプロジェクタ等では、ＲＧＢの他に白（Ｗ）を表示に用いているものがあり、そのようなディスプレイであれば、用いられているＨＩＤランプ等の演色性が高いので、各種の色温度照明の表示も容易である。
【００５５】
なお、印刷システムに対する色合わせの指示は、例えばオンスクリーンディスプレイ（ＯＳＤ：On Screen Display）を用いたリモコンの操作等によって行われる。また、カラーパッチの形態は特に限定されない。但し、ディスプレイ６０とプリンタ８０との組み合わせは固定しておくことが望ましい。これは、プリンタにより印刷特性が相違していることが多く、あるプリンタにより印刷されたカラーパッチを用いて行った色合わせを他のプリンタに反映させることができない場合があるからである。
【００５６】
また、上述の実施形態では、ステップＳ１０２において図７に示す画像が表示されることとしているが、処理に合わせて、参照光色温度指定領域６３、色選択領域６４、及び色指定領域６５をこの順で時系列的に表示してもよい。
【００５７】
また、色指定領域６５の表示態様も特に限定されず、変更後の色を特定することが可能であれば、図７に示すようなグラデーション表示の他に、ｕｖ座標又はｘｙ座標を用いた色度図等を用いてもよい。
【００５８】
また、参照光色温度指定領域６３の表示態様も特に限定されない。例えば、図７に示すような連続的に変化する色温度から１点をユーザに指定させるようにしてもよく、また、予め複数の固定値を設定しておいて、そのうちから１つの固定値をユーザに指定させるようにしてもよい。
【００５９】
更に、ディスプレイ６０への指示の入力を、例えば、表示画面上のタッチパネル等を介して行ってもよく、また、リモコン等からのアローキーによるカーソル制御を介して行ってもよい。
【００６０】
また、これらの実施形態では、ディスプレイ６０における補正データを作成して、表示補正を行い、その表示上で写真等の色補正をしているが、補正データをプリンタ８０のプロファイルに適用して、印刷出力を補正するように構成してもよい。つまり、画像処理部２０での色補正の代わりに、プリンタ８０の内部で色補正を行ってもよい。この場合、プリンタ８０が色補正手段として機能する。
【００６１】
更に、ディスプレイ６０として、通常の直視型タイプのディスプレイの他に、プロジェクタタイプのディスプレイを用いてもよい。また、上記の処理の一部又は全部をコンピュータ７０がプログラムに基づいて行ってもよい。この場合には、例えば、ディスプレイ６０の設定を標準設定のままとし、コンピュータ７０側の表示プロファイルの変更を行うようにすればよい。
【００６２】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記の印刷処理用のプログラムも本発明の実施形態として適用することができる。上記のプログラム、記録媒体、伝送媒体及びプログラムプロダクトは、本発明の範疇に含まれる。
【図面の簡単な説明】
【００６３】
【図１】２つの色温度のランプの波長特性を示す図である。
【図２】色順応を示す模式図である。
【図３】本発明の第１の実施形態に係る印刷システムの構成を示す模式図である。
【図４】ディスプレイ６０の内部構成を示すブロック図である。
【図５Ａ】色合わせ時の動作を示すフローチャートである。
【図５Ｂ】図５Ａに引き続き、色合わせ時の動作を示すフローチャートである。
【図６】カラーパッチ６８を示す模式図である。
【図７】表示画面６１に表示される画像を示す模式図である。
【図８】カラーパッチ６８を用いた色合わせ方法を示す模式図である。
【図９】本発明の第２の実施形態の動作を示す模式図である。
【符号の説明】
【００６４】
１０：入力信号処理部
２０：画像処理部
３０：表示制御部
４０：制御部
５０：記憶部
６０：プリンタ
６１：表示画面
６２：参照光領域
６３：参照光色温度指定領域
６４：色選択領域
６５：色指定領域
６６：ポインタ
６７：「ＯＫ」ボタン
６８：カラーパッチ
７０：コンピュータ
８０：プリンタ
【図１】
2009100129.tif 000003
【図２】
2009100129.tif 000004
【図３】
2009100129.tif 000005
【図４】
2009100129.tif 000006
【図５Ａ】
2009100129.tif 000007
【図５Ｂ】
2009100129.tif 000008
【図６】
2009100129.tif 000009
【図７】
2009100129.tif 000010
【図８】
2009100129.tif 000011
【図９】
2009100129.tif 000012